(57)【要約】【課題】遠隔操作による写真撮影時に、撮影者が撮影される画像を即時に確認しながら写真撮影をおこなうことができるテレビ電話端末、撮影方法および撮影プログラムを提供すること。【解決手段】テレビ電話端末１０００は、カメラ機能を備え、テレビ電話端末２０００からの遠隔操作を受け付ける。テレビ電話端末１０００は、遠隔操作された状態になると、カメラの映像をテレビ電話の画面としてテレビ電話端末２０００へ送信する。テレビ電話端末２０００の操作者は、このテレビ電話の画面を参照することで、実際にどのような画像が撮影されるかを即時に確認しながら、テレビ電話端末１０００を遠隔操作して撮影をおこなうことができる。【選択図】        図１
2006352661.tif 000002
【特許請求の範囲】
【請求項１】
静止画を撮影することができるカメラを備えたテレビ電話端末であって、
テレビ電話通信の接続先の対向装置に自装置の遠隔操作を認めるか否かを判断する被制御認証手段と、
前記被制御認証手段が遠隔操作を認めた対向装置から少なくともシャッター制御を含む制御要求を受け付け、該要求に応じた制御を実施する被制御手段と、
前記被制御認証手段がテレビ電話通信の接続先の対向装置に自装置の遠隔操作を認めた場合に、前記カメラによって撮影される静止画をテレビ電話通信用の画像に変換する画像変換手段と、
前記画像変換手段が変換した画像をテレビ電話通信の画像として対抗装置に送信する通信手段と
を備えたことを特徴とするテレビ電話端末。
【請求項２】
前記カメラは、動画を撮影する機能をさらに備え、
前記画像変換手段は、前記被制御認証手段がテレビ電話通信の接続先の対向装置に自装置の遠隔操作を認めた場合に、該対向装置に前記カメラによって撮影される動画をテレビ電話通信用の画像に変換することを特徴とする請求項１に記載のテレビ電話端末。
【請求項３】
前記被制御認証手段は、自装置の遠隔操作を認めるか否かを判断するための認証情報を所定の時間の経過後に無効とすることを特徴とする請求項１または２に記載のテレビ電話端末。
【請求項４】
前記画像変換手段は、前記被制御手段の制御により静止画もしくは動画が撮影された場合に、該静止画もしくは動画をテレビ電話通信用の画像に変換し、
前記通信手段は、前記画像変換手段が変換した画像をテレビ電話通信の画像として対抗装置に所定の時間送信することを特徴とする請求項１〜３のいずれか一つに記載のテレビ電話端末。
【請求項５】
前記被制御手段は、前記被制御認証手段がテレビ電話通信の接続先の対向装置に自装置の遠隔操作を認めた場合に、表示手段にその旨を表示させることを特徴とする請求項１〜４のいずれか一つに記載のテレビ電話端末。
【請求項６】
静止画を撮影することができるカメラを備えたテレビ電話端末をもちいた撮影方法であって、
テレビ電話通信の接続先の対向装置に自装置の遠隔操作を認めるか否かを判断する被制御認証工程と、
前記被制御認証工程が遠隔操作を認めた対向装置から少なくともシャッター制御を含む制御要求を受け付け、該要求に応じた制御を実施する被制御工程と、
前記被制御認証工程がテレビ電話通信の接続先の対向装置に自装置の遠隔操作を認めた場合に、前記カメラによって撮影される静止画をテレビ電話通信用の画像に変換する画像変換工程と、
前記画像変換工程が変換した画像をテレビ電話通信の画像として対抗装置に送信する通信工程と
を含んだことを特徴とする撮影方法。
【請求項７】
静止画を撮影することができるカメラを備えたテレビ電話端末を制御する撮影プログラムであって、
テレビ電話通信の接続先の対向装置に自装置の遠隔操作を認めるか否かを判断する被制御認証手順と、
前記被制御認証手順が遠隔操作を認めた対向装置から少なくともシャッター制御を含む制御要求を受け付け、該要求に応じた制御を実施する被制御手順と、
前記被制御認証手順がテレビ電話通信の接続先の対向装置に自装置の遠隔操作を認めた場合に、前記カメラによって撮影される静止画をテレビ電話通信用の画像に変換する画像変換手順と、
前記画像変換手順が変換した画像をテレビ電話通信の画像として対抗装置に送信する通信手順と
をコンピュータに実行させることを特徴とする撮影プログラム。
【発明の詳細な説明】
【技術分野】
【０００１】
この発明は、静止画等を撮影することができるカメラを備えたテレビ電話端末に関し、特に、遠隔操作による写真撮影時に、撮影者が撮影される画像を即時に確認しながら写真撮影をおこなうことができるテレビ電話端末に関するものである。
【背景技術】
【０００２】
近年、ほとんどの携帯電話がカメラ機能を内蔵するようになっている。携帯電話には大型のカラー液晶画面も備わっており、この液晶画面で撮影画像を確認しながら自分自身を撮影する、いわゆる自分撮りという新しい撮影形態も一般化している。
【０００３】
自分撮りという撮影形態は、自分を含めた被写体が２〜３名以内で、顔等の体の一部を写す場合に適しているが、カメラと被写体との距離が撮影者の腕の長さまでに制限されるため、被写体が多数の場合や全身を写したい場合、背景を大きく写したい場合等には対応できない。
【０００４】
このように自分撮りでは対応不可能な写真を撮影したい場合は、信頼できる第３者に撮影を依頼するのが従来の対処法であるが、周りに信頼できる第３者がいない場合には、このやり方をとることができない。そこで、特許文献１では、カメラ機能付きの携帯電話を他の携帯電話によって遠隔操作して写真を撮影する技術が開示されている。
【０００５】
【特許文献１】特開２００３−１８２５４号公報
【発明の開示】
【発明が解決しようとする課題】
【０００６】
しかしながら、特許文献１で開示されている技術をもちいた場合、写真を撮影する際に撮影者が構図を即時に確認することができないという問題がある。特許文献１には、遠隔操作される側の携帯電話から、メール等の通信手段をもちいてカメラ画像を撮影者側の携帯電話に送信する旨の内容も記述されているが、メール等の通信手段を介した場合は、送受信等のタイムラグが発生してしまう。写真撮影においては、即興性が重要な場合が多く、構図を即時に確認して撮影することができないことは大きな問題となる。
【０００７】
この発明は、上述した従来技術による問題点を解消するためになされたものであり、遠隔操作による写真撮影時に、撮影者が撮影される画像を即時に確認しながら写真撮影をおこなうことができるテレビ電話機能付きの携帯電話（テレビ電話端末）、撮影方法および撮影プログラムを提供することを目的とする。
【課題を解決するための手段】
【０００８】
上述した課題を解決し、目的を達成するため、本発明は、静止画を撮影することができるカメラを備えたテレビ電話端末であって、テレビ電話通信の接続先の対向装置に自装置の遠隔操作を認めるか否かを判断する被制御認証手段と、前記被制御認証手段が遠隔操作を認めた対向装置から少なくともシャッター制御を含む制御要求を受け付け、該要求に応じた制御を実施する被制御手段と、前記被制御認証手段がテレビ電話通信の接続先の対向装置に自装置の遠隔操作を認めた場合に、該対向装置に前記カメラによって撮影される静止画をテレビ電話通信用の画像に変換する画像変換手段と、前記画像変換手段が変換した画像をテレビ電話通信の画像として対抗装置に送信する通信手段とを備えたことを特徴とする。
【０００９】
また、本発明は、静止画を撮影することができるカメラを備えたテレビ電話端末をもちいた撮影方法であって、テレビ電話通信の接続先の対向装置に自装置の遠隔操作を認めるか否かを判断する被制御認証工程と、前記被制御認証工程が遠隔操作を認めた対向装置から少なくともシャッター制御を含む制御要求を受け付け、該要求に応じた制御を実施する被制御工程と、前記被制御認証工程がテレビ電話通信の接続先の対向装置に自装置の遠隔操作を認めた場合に、前記カメラによって撮影される静止画をテレビ電話通信用の画像に変換する画像変換工程と、前記画像変換工程が変換した画像をテレビ電話通信の画像として対抗装置に送信する通信工程とを含んだことを特徴とする。
【００１０】
また、本発明は、静止画を撮影することができるカメラを備えたテレビ電話端末を制御する撮影プログラムであって、テレビ電話通信の接続先の対向装置に自装置の遠隔操作を認めるか否かを判断する被制御認証手順と、前記被制御認証手順が遠隔操作を認めた対向装置から少なくともシャッター制御を含む制御要求を受け付け、該要求に応じた制御を実施する被制御手順と、前記被制御認証手順がテレビ電話通信の接続先の対向装置に自装置の遠隔操作を認めた場合に、前記カメラによって撮影される静止画をテレビ電話通信用の画像に変換する画像変換手順と、前記画像変換手順が変換した画像をテレビ電話通信の画像として対抗装置に送信する通信手順とをコンピュータに実行させることを特徴とする。
【００１１】
この発明によれば、対向装置から遠隔操作を受けている場合に、カメラの映像をテレビ電話の画像として対向装置に送信するように構成したので、遠隔操作をおこなっている操作者が実際の画像を即時に確認しながら静止画の撮影をおこなうことができる。
【００１２】
また、本発明は、上記の発明において、前記カメラは、動画を撮影する機能をさらに備え、前記画像変換手段は、前記被制御認証手段がテレビ電話通信の接続先の対向装置に自装置の遠隔操作を認めた場合に、該対向装置に前記カメラによって撮影される動画をテレビ電話通信用の画像に変換することを特徴とする。
【００１３】
この発明によれば、さらに動画についてもカメラの映像をテレビ電話の画像として対向装置に送信するように構成したので、遠隔操作をおこなっている操作者が実際の画像を確認しながら動画の撮影をおこなうことができる。
【００１４】
また、本発明は、上記の発明において、前記被制御認証手段は、自装置の遠隔操作を認めるか否かを判断するための認証情報を所定の時間の経過後に無効とすることを特徴とする。
【００１５】
この発明によれば、遠隔操作の許可を一定時間後無効化するように構成したので、許可の設定解除を忘れたことなどによって、後日、予期しない遠隔操作がおこなわれることを回避することができる。
【００１６】
また、本発明は、上記の発明において、前記画像変換手段は、前記被制御手段の制御により静止画もしくは動画が撮影された場合に、該静止画もしくは動画をテレビ電話通信用の画像に変換し、前記通信手段は、前記画像変換手段が変換した画像をテレビ電話通信の画像として対抗装置に所定の時間送信することを特徴とする。
【００１７】
この発明によれば、遠隔操作によって撮影された静止画もしくは動画を、テレビ電話の画像として対向装置に送信するように構成したので、遠隔操作をおこなっている操作者が実際に撮影された静止画もしくは動画をその場で確認することができる。
【００１８】
また、本発明は、上記の発明において、前記被制御手段は、前記被制御認証手段がテレビ電話通信の接続先の対向装置に自装置の遠隔操作を認めた場合に、表示手段にその旨を表示させることを特徴とする。
【００１９】
この発明によれば、遠隔操作されている場合にその旨を表示手段に表示するように構成したので、許可の設定解除を忘れたことなどによって、後日、予期しない遠隔操作がおこなわれた場合に、テレビ電話端末の所有者に遠隔操作がおこなわれていることを知らせることができる。
【発明の効果】
【００２０】
本発明によれば、対向装置から遠隔操作を受けている場合に、カメラの映像をテレビ電話の画像として対向装置に送信するように構成したので、遠隔操作をおこなっている操作者が実際の画像を即時に確認しながら静止画の撮影をおこなうことができるという効果を奏する。
【００２１】
また、本発明によれば、さらに動画についてもカメラの映像をテレビ電話の画像として対向装置に送信するように構成したので、遠隔操作をおこなっている操作者が実際の画像を確認しながら動画の撮影をおこなうことができるという効果を奏する。
【００２２】
また、本発明によれば、遠隔操作の許可を一定時間後無効化するように構成したので、許可の設定解除を忘れたことなどによって、後日、予期しない遠隔操作がおこなわれることを回避することができるという効果を奏する。
【００２３】
また、本発明によれば、遠隔操作によって撮影された静止画もしくは動画を、テレビ電話の画像として対向装置に送信するように構成したので、遠隔操作をおこなっている操作者が実際に撮影された静止画もしくは動画をその場で確認することができるという効果を奏する。
【００２４】
また、本発明によれば、遠隔操作されている場合にその旨を表示手段に表示するように構成したので、許可の設定解除を忘れたことなどによって、後日、予期しない遠隔操作がおこなわれた場合に、テレビ電話端末の所有者に遠隔操作がおこなわれていることを知らせることができるという効果を奏する。
【発明を実施するための最良の形態】
【００２５】
以下に添付図面を参照して、この発明に係るテレビ電話端末、撮影方法および撮影プログラムの好適な実施の形態を詳細に説明する。
【実施例】
【００２６】
まず、本実施例に係る撮影方式の概要について説明する。図１は、本実施例に係る撮影方式を説明するためのサンプル図である。同図に示すように、本実施例に係る撮影方式では、２台のテレビ電話端末をもちいる。ここでいうテレビ電話端末とは、テレビ電話機能を備えたノート型パソコンや携帯情報端末等を含むが、説明の便宜上、本実施例では、テレビ電話機能を備えた携帯電話を前提として説明をおこなう。
【００２７】
図１に示した場面では、被写体が２名おり、それぞれが１台ずつ所有する計２台のテレビ電話端末を利用して写真撮影をおこなっている。
【００２８】
テレビ電話端末１０００は、テレビ電話機能とカメラ機能を備えた携帯電話である。テレビ電話機能とカメラ機能とでは、動画と静止画の違いや音声の有無の違いに加え、画像の解像度の違いがある。テレビ電話機能が提供する画像は、通信コストと通信帯域の制約から解像度が低く低品質であるのに対し、カメラ機能が提供する画像は、高解像度で高品質である。
【００２９】
テレビ電話端末２０００は、テレビ電話機能を備えた携帯電話である。テレビ電話端末２０００もカメラ機能を備えていてもよいが、本実施例に係る撮影方式では、テレビ電話端末２０００のカメラ機能は利用しない。
【００３０】
本実施例に係る撮影方式では、テレビ電話端末１０００を離れた場所に設置し、被写体の１名が手元に持ったテレビ電話端末２０００を介してテレビ電話端末１０００を遠隔操作して写真撮影をおこなう。このとき、テレビ電話端末１０００とテレビ電話端末２０００の間をテレビ電話による通話状態とし、テレビ電話端末１０００のカメラ機能で撮影される画像をテレビ電話の画像に変換してテレビ電話端末１０００からテレビ電話端末２０００へ送信させる。
【００３１】
このようにテレビ電話機能をもちいてカメラ機能の画像を送信することにより、被写体でもあるテレビ電話端末２０００の操作者は、実際に撮影される画像の構図を確認しながら写真撮影をおこなうことができる。また、テレビ電話機能により送信される画像は、低品質ながら画像の色合いや明るさはわかるので、テレビ電話端末２０００からテレビ電話端末１０００のカメラ機能を遠隔操作して、効果を確認しながら画像の色合いや明るさの調整をおこなうこともできる。
【００３２】
なお、上記説明では、静止画を撮影する場合の例を示したが、本実施例に係る撮影方式は動画の撮影にも有用である。最近の携帯電話には高品質な動画を撮影できるものもあるが、本実施例に係る撮影方式をもちいれば、そのような動画撮影機能をもった携帯電話を遠隔操作して画像を確認しながら動画撮影をおこなうことができる。
【００３３】
次に、図１に示したテレビ電話端末１０００の構成について説明する。図２は、図１に示したテレビ電話端末１０００の構成を示す機能ブロック図である。同図に示すように、テレビ電話端末１０００は、通信部１１００と、カメラ１２００と、表示部１３００と、操作部１４００と、マイク１５００と、スピーカ１６００と、制御部１７００と、記憶部１８００とを有する。
【００３４】
通信部１１００は、音声通話やテレビ電話通話をおこなうための無線通信を実現する装置である。テレビ電話通話をおこなう場合、音声送受信部１７５１から送られる音声データと、動画送受信部１７５２から送られる動画データと、拡張データ送受信部１７５３から送られる拡張データとを多重化して対向装置に向けて送信する。また、対向装置から受信した信号を音声データと、動画データと、拡張データとに分解し、それぞれ、音声送受信部１７５１、動画送受信部１７５２、拡張データ送受信部１７５３へ引き渡す。
【００３５】
カメラ１２００は、静止画および動画を撮影可能なカメラである。本実施例では、１つのカメラで静止画と動画の両方を撮影するものとするが、静止画用と動画用に個別にカメラを備えた構成であってもよい。表示部１３００は、各種情報を表示する液晶画面等の表示装置であり、操作部１４００は、複数のボタンを備えた入力装置である。
【００３６】
マイク１５００は、通話する音声を集音する装置であり、スピーカ１６００は、音声や呼び出し音を発音する装置である。
【００３７】
制御部１７００は、テレビ電話端末１０００を全体制御する制御部であり、カメラ制御部１７１０と、被制御認証部１７２０と、被制御部１７３０と、画像変換部１７４０と、通信制御部１７５０とを有する。カメラ制御部１７１０は、カメラ１２００を制御する制御部であり、具体的には、シャッター制御、ズーム制御、画像の色合いや明るさの制御等をおこなう。
【００３８】
被制御認証部１７２０は、他のテレビ電話端末からの遠隔操作を許可するか否かを判断する処理部である。不特定のテレビ電話端末から遠隔操作されないようにするため、被制御認証部１７２０は、予め定められたテレビ電話端末に対してのみ遠隔操作を許可する。本発明では、遠隔操作を許可するか否かの判断方式については特定しないが、たとえば、認証情報記憶部１８１０に遠隔操作を許可するテレビ電話端末の電話番号を記憶させておき、ここに記憶されたテレビ電話端末から着信があった場合のみ遠隔操作を許可するように構成することもできる。
【００３９】
なお、被制御認証部１７２０が遠隔操作を許可するか否かを判断する条件に時間的な制限を加えることもできる。あるテレビ電話端末に対して遠隔操作を認める設定をした場合、その設定が永続的なものであれば、設定を取り消さない限り、後日、遠隔操作を認めたテレビ端末から悪意をもった遠隔操作を受ける可能性がある。たとえば、遠隔操作の許可を設定後３０分のみ有効とすることで、このような悪意をもった遠隔操作を回避することができる。
【００４０】
被制御部１７３０は、遠隔操作を許可されたテレビ電話端末から送信された制御コマンドを受け付け、その制御コマンドに応じた制御を実行する処理部である。制御コマンドは、テレビ電話の無線信号中に拡張データとして埋め込まれて受信される。拡張データは、テレビ電話の無線信号中に動画データと音声データ以外のデータを埋め込むためのものであり、この拡張データを利用することで、電話会社側の設備等を変更ことなく、制御コマンドの送受信を実現することができる。
【００４１】
被制御部１７３０は、受信した制御コマンドに応じてカメラ制御部１７１０等を制御する。たとえば、受信した制御コマンドがズームアップを指示するものであったならば、カメラ制御部１７１０を制御してカメラ１２００のレンズ部の撮影倍率をアップさせる。また、たとえば、受信した制御コマンドが画像の色合いや明るさの変更を指示するものであったならば、カメラ制御部１７１０を制御して画像の補正内容を変化させる。
【００４２】
また、受信した制御コマンドがシャッターレリーズ、すなわち、写真撮影を指示するものであったならば、カメラ制御部１７１０を制御してカメラ１２００に写真撮影動作をおこなわせ、撮影された静止画データを記憶部１８００の静止画記憶部１８４０に記憶させる。そして、撮影された静止画データを画像変換部１７４０に送ってテレビ電話用の解像度に変換させ、変換後の画像を動画送受信部１７５２に送ってテレビ電話の画像として一定時間（たとえば２０秒間）送信させる。
【００４３】
このように撮影された画像をテレビ電話画面上で自動再生することにより、対向装置から遠隔操作している操作者に対してどのような写真が撮影されたかを示すことができる。撮影された画像を送信する時間については、記憶部１８００の設定情報記憶部１８２０に設定することができる。また、送信時間を限定せずに、対向装置から特定の制御信号が送信されるまで撮影された画像を送信し続けるように設定することもできる。また、撮影された画像をテレビ電話の画像として自動再生しないように設定することもできる。
【００４４】
また、カメラ制御部１７１０を制御してカメラ１２００に写真撮影動作をおこなわせる際に、音声送受信部１７５１を通じてテレビ電話の音声としてシャッター音を送信してもよい。このようにシャッター音を送信することにより、対向装置から遠隔操作している操作者に対して実際に写真撮影がおこなわれたことを知らせることができる。
【００４５】
また、被制御部１７３０は、受信した制御コマンドが動画撮影を指示するものであったならば、カメラ制御部１７１０を制御してカメラ１２００に動画撮影動作をおこなわせ、撮影された動画データを記憶部１８００の動画記憶部１８５０に記憶させる。
【００４６】
また、受信した制御コマンドが撮影データの送信を指示するものであったならば、記憶部１８００に記憶されている撮影データをメール送受信部１７５４に送って対向装置へメール送信させる。メール送信先のメールアドレスは、着信電話番号に対応するものを記憶部１８００の電話帳情報記憶部１８３０から取得するものとしてもよいし、認証情報記憶部１８１０に遠隔操作を許可する端末の電話番号とともに記憶されているものとしてもよい。
【００４７】
なお、撮影データの送信をメール送信ではなく、拡張データとしてテレビ電話の無線信号中に埋め込んでおこなうように構成してもよい。メール送信によって撮影データを送信する場合、対向装置であるテレビ電話端末は通常のメール受信機能を有していればよく、撮影データの受信のための特別な仕組みを必要としない。拡張データとして撮影データを送信する場合、対向装置であるテレビ電話端末には、拡張データから撮影データを抽出する仕組みが必要となるが、既に接続が確立済みのテレビ電話回線をもちいてデータが伝送されるため、確実に送信がおこなわれる。
【００４８】
また、記憶部１８００の設定情報記憶部１８２０に、撮影後に撮影データを自動的に送信する旨の設定がなされていれば、被制御部１７３０は、撮影データの送信の指示を待たずに送信を実行するようにしてもよい。このように撮影データを自動送信することにより、操作者が操作の手間を省くことができる。また、自動送信が完了した撮影データを削除することにより、遠隔操作されるテレビ電話端末側において撮影データを保存するための大きな記憶容量を確保する必要がなくなる。
【００４９】
また、被制御部１７３０は、自装置が他のテレビ電話端末から遠隔操作される状態にある場合には、その旨と制御内容とを表示部１３００に表示する。さらに、遠隔操作される状態にある旨を表示部１３００に表示しているときに、操作部１４００において特定のキーが押下された場合には、遠隔操作される状態を解除する。このように、遠隔操作されていることを通知する所有者に仕組みと遠隔操作を強制的に解除する仕組みを設けることにより、悪意をもった遠隔操作がおこなわれた場合にそれを中止させることができる。
【００５０】
画像変換部１７４０は、カメラ１２００の映像画像もしくは記憶部１８００に記憶されている撮影データをテレビ電話の画像に変換して動画送受信部１７５２へ送信する処理部である。
【００５１】
被制御認証部１７２０が遠隔操作を許可した後、画像変換部１７４０は、カメラ１２００の画像の変換を開始し、テレビ電話端末１０００は、このテレビ電話用に変換された画像を着信元のテレビ電話端末２０００に対してテレビ電話の画面として送信し続ける。そして、静止画の撮影がおこなわれた場合や、テレビ電話端末２０００から撮影データの確認要求があった場合は、画像変換部１７４０は、記憶部１８００に記憶されている撮影データを変換し、テレビ電話の画面として送信させる。
【００５２】
通信制御部１７５０は、通話やデータ通信を制御する制御部であり、音声送受信部１７５１と、動画送受信部１７５２と、拡張データ送受信部１７５３と、メール送受信部１７５４とを有する。音声送受信部１７５１は、音声通話やテレビ電話通話のために音声の送受信を制御する制御部である。動画送受信部１７５２は、テレビ電話通話のために動画の送受信を制御する制御部である。拡張データ送受信部１７５３は、テレビ電話通話の無線信号中に埋め込まれる拡張データの送受信を制御する制御部である。メール送受信部１７５４は、メールの送受信を制御する制御部である。
【００５３】
記憶部１８００は、各種情報を記憶する記憶部であり、認証情報記憶部１８１０と、設定情報記憶部１８２０と、電話帳情報記憶部１８３０と、静止画記憶部１８４０と、動画記憶部１８５０とを有する。
【００５４】
認証情報記憶部１８１０は、被制御認証部１７２０がテレビ電話の着信元の端末に遠隔制御を許可するか否かを判断するための情報を記憶する。設定情報記憶部１８２０は、各種の設定情報を記憶する。電話帳情報記憶部１８３０は、通話相手の電話番号やメールアドレスなどの一覧を記憶する。静止画記憶部１８４０は、カメラ１２００が撮影した静止画を記憶し、動画記憶部１８５０は、カメラ１２００が撮影した動画を記憶する。
【００５５】
次に、図１に示したテレビ電話端末２０００の構成について説明する。図３は、図１に示したテレビ電話端末２０００の構成を示す機能ブロック図である。同図に示すように、テレビ電話端末２０００は、通信部２１００と、カメラ２２００と、表示部２３００と、操作部２４００と、マイク２５００と、スピーカ２６００と、制御部２７００と、記憶部２８００とを有する。
【００５６】
通信部２１００、カメラ２２００、表示部２３００、操作部２４００、マイク２５００およびスピーカ２６００は、それぞれ、図２に示した通信部１１００、カメラ１２００、表示部１３００、操作部１４００、マイク１５００およびスピーカ１６００と同様の装置であるので詳しい説明は省略する。
【００５７】
制御部２７００は、テレビ電話端末２０００を全体制御する制御部であり、カメラ制御部２７１０と、遠隔制御部２７２０と、通信制御部２７３０とを有する。カメラ制御部２７１０は、図２に示したカメラ制御部１７１０と同様の制御部である。
【００５８】
遠隔制御部２７２０は、テレビ電話通話をおこなっているテレビ電話端末を遠隔制御する制御部である。具体的には、テレビ電話通話中に、操作部２４００のボタン操作によってテレビ電話端末２０００が遠隔操作モードになった状態で操作部２４００のいずれかのボタンが押下されたならば、そのボタンに対応した制御コマンドを生成し、拡張データとして対向装置に送信させる。
【００５９】
ここで、操作部２４００のボタンの一例と、それらのボタンに割り当てられた制御内容の一例を示す。図４は、図３に示した操作部２４００の一例を示すサンプル図である。同図に示すように、操作部２４００は、「０」〜「９」の数字キーや、メニュー表示のための「ＭＥＮＵ」キーなどのボタンを備える。
【００６０】
図５は、操作部２４００のボタンに割り当てられた制御内容の一例を示すサンプル図である。同図に示すように、「ＭＥＮＵ」キーは、対向装置を操作対象とする遠隔操作モードと、自装置を操作対象とする通常モードとの切り替え機能が割り当てられている。
【００６１】
また、「１」、「２」、「３」、「４」、「５」、「６」、「７」、「８」、「０」の各キーには、それぞれ、「ズームイン」、「明るさアップ」、「色の濃さアップ」、「ズームアウト」、「明るさダウン」、「色の濃さダウン」、「撮影データ確認」、「撮影データ送信」、「シャッターレリーズ」という制御内容が割り当てられている。
【００６２】
図３の説明に戻って、通信制御部２７３０は、通話やデータ通信を制御する制御部であり、音声送受信部２７３１と、動画送受信部２７３２と、拡張データ送受信部２７３３と、メール送受信部２７３４とを有する。音声送受信部２７３１、動画送受信部２７３２、拡張データ送受信部２７３３およびメール送受信部２７３４は、それぞれ、図２に示した音声送受信部１７５１、動画送受信部１７５２、拡張データ送受信部１７５３およびメール送受信部１７５４と同様の制御部である。
【００６３】
記憶部２８００は、各種情報を記憶する記憶部であり、設定情報記憶部２８１０と、電話帳情報記憶部２８２０と、静止画記憶部２８３０と、動画記憶部２８４０とを有する。
【００６４】
設定情報記憶部２８１０は、各種の設定情報を記憶する。電話帳情報記憶部２８２０は、通話相手の電話番号やメールアドレスなどの一覧を記憶する。静止画記憶部２８３０は、遠隔操作したテレビ電話端末から送信された静止画を記憶し、動画記憶部２８４０は、遠隔操作したテレビ電話端末から送信された動画を記憶する。
【００６５】
次に、本実施例に係る撮影方式における情報の流れを説明する。図６は、本実施例に係る撮影方式における情報の流れを説明するための説明図である。この図は、遠隔操作によって静止画の撮影をおこなう場面を示している。
【００６６】
テレビ電話端末２０００の操作部２４００においてシャッターレリーズを要求するキーが押下されたならば（ステップＳ１０１）、遠隔制御部２７２０においてシャッターレリーズのための制御コマンドが生成される（ステップＳ１０２）。この制御コマンドは、拡張データ送受信部２７３３において拡張データとして整形され（ステップＳ１０３）、通信部２１００から音声データ等と多重化されてテレビ電話端末１０００へ向けて送信される。
【００６７】
テレビ電話端末１０００の通信部１１００は、受信した無線信号を動画データと、音声データと、拡張データとに分離させ、分離させた拡張データを拡張データ送受信部１７５３に引き渡す（ステップＳ１０４）。拡張データ送受信部１７５３は、拡張データから制御コマンドを取り出し、被制御部１７３０に引き渡す（ステップＳ１０５）。
【００６８】
被制御部１７３０は、制御コマンドがシャッターレリーズを要求するものであると判断すると、カメラ制御部１７１０に対して静止画の撮影を実行するように指示する（ステップＳ１０６）。また、このとき、表示部１３００に静止画の撮影を実行する旨を表示する（ステップＳ１０７）。
【００６９】
カメラ制御部１７１０は、被制御部１７３０の指示に従ってカメラ１２００に静止画の撮影をおこなわせ（ステップＳ１０８）、撮影されたデータは静止画記憶部１８４０に保存される（ステップＳ１０９）。そして、画像変換部１７４０が、この保存された撮影データを読み出し（ステップＳ１１０）、テレビ電話通信用に変換して動画送受信部１７５２に引き渡す（ステップＳ１１１）。動画送受信部１７５２は、引き渡されたデータを動画データとして通信部１１００へ引き渡す（ステップＳ１１２）。
【００７０】
被制御部１７３０は、カメラ制御部１７１０に対して静止画の撮影を実行するように指示した後、音声送受信部１７５１にシャッター音のデータを引き渡し（ステップＳ１１３）、このデータは、音声送受信部１７５１において音声データとして整形され、通信部１１００へ引き渡される（ステップＳ１１４）。通信部１１００は、引き渡された拡張データや音声データを多重化し、テレビ電話端末２０００へ向けて送信する。
【００７１】
テレビ電話端末２０００の通信部２１００は、受信した無線信号を動画データと、音声データと、拡張データとに分離させ、分離させた動画データを動画送受信部２７３２に引き渡す（ステップＳ１１５）。動画送受信部２７３２は、動画データを表示部２３００に表示させる（ステップＳ１１６）。また、分離された音声データは、音声送受信部２７３１に引き渡され（ステップＳ１１７）、スピーカ２６００から出力される（ステップＳ１１８）。
【００７２】
こうして、テレビ電話端末２０００の操作部２４００の操作によってテレビ電話端末１０００において静止画の撮影がおこなわれ、撮影された画像がテレビ電話の映像としてテレビ電話端末２０００の表示部２３００に表示されるとともに、シャッター音がスピーカ２６００から出力されることになる。
【００７３】
次に、図２に示したテレビ電話端末１０００の処理手順について説明する。図７は、図２に示したテレビ電話端末１０００の処理手順を示すフローチャートである。同図に示すように、テレビ電話端末２０００は、テレビ電話の着信があると（ステップＳ２０１）、着信元が遠隔制御を許可してよい端末であるか否かを確認し（ステップＳ２０２）、許可できない端末であれば（ステップＳ２０３否定）、通常のテレビ電話通話の処理をおこなう。
【００７４】
着信元が遠隔制御を許可してよい端末でれば（ステップＳ２０３肯定）、着信元の端末に対して撮影データの送信を開始し（ステップＳ２０４）、表示部１３００に被制御状態である旨を表示する（ステップＳ２０５）。
【００７５】
そして、拡張データとして送信される制御コマンドを待ち受けて（ステップＳ２０６）、受信した制御コマンドの種別に応じた処理を実行する。制御コマンドがシャッターレリーズを指示するものであれば（ステップＳ２０７シャッターレリーズ）、画像を撮影して記憶部１８００に保存する（ステップＳ２０８）。
【００７６】
ここで、設定情報記憶部１８２０に撮影データの自動再生の設定があれば（ステップＳ２０９肯定）、着信元に撮影データをテレビ電話の画像として送信する（ステップＳ２１０）。また、設定情報記憶部１８２０に撮影データの自動送信の設定があれば（ステップＳ２１１肯定）、着信元に撮影データをメールもしくは拡張データとして自動送信する（ステップＳ２１２）。
【００７７】
また、制御コマンドが撮影データの送信を指示するものであれば（ステップＳ２０７撮影データ送信）、着信元に撮影データをメールもしくは拡張データとして送信し（ステップＳ２１３）、制御コマンドがそれ以外であれば（ステップＳ２０８その他）、その制御コマンドに応じた制御を実施する（ステップＳ２１４）。
【００７８】
こうして、制御コマンドに応じた処理が完了したならば、ステップＳ２０６に復帰して、次の制御コマンドを待ち受ける。
【００７９】
なお、上記の処理手順は、予め用意された撮影プログラムによって実行することもできる。この撮影プログラムは、テレビ電話端末１０００内の不揮発性メモリ等に記憶され、テレビ電話端末１０００に搭載されたコンピュータ（プロセッサ）によって読み出されて実行される。
【００８０】
上述してきたように、本実施例では、対向装置から遠隔操作を受けている場合に、カメラの映像をテレビ電話の画像として対向装置に送信するように構成したので、遠隔操作をおこなっている操作者が実際の画像を確認しながら静止画の撮影をおこなうことができる。
【００８１】
（付記１）静止画を撮影することができるカメラを備えたテレビ電話端末であって、
テレビ電話通信の接続先の対向装置に自装置の遠隔操作を認めるか否かを判断する被制御認証手段と、
前記被制御認証手段が遠隔操作を認めた対向装置から少なくともシャッター制御を含む制御要求を受け付け、該要求に応じた制御を実施する被制御手段と、
前記被制御認証手段がテレビ電話通信の接続先の対向装置に自装置の遠隔操作を認めた場合に、前記カメラによって撮影される静止画をテレビ電話通信用の画像に変換する画像変換手段と、
前記画像変換手段が変換した画像をテレビ電話通信の画像として対抗装置に送信する通信手段と
を備えたことを特徴とするテレビ電話端末。
【００８２】
（付記２）前記カメラは、動画を撮影する機能をさらに備え、
前記画像変換手段は、前記被制御認証手段がテレビ電話通信の接続先の対向装置に自装置の遠隔操作を認めた場合に、該対向装置に前記カメラによって撮影される動画をテレビ電話通信用の画像に変換することを特徴とする付記１に記載のテレビ電話端末。
【００８３】
（付記３）前記被制御認証手段は、自装置の遠隔操作を認めるか否かを判断するための認証情報を所定の時間の経過後に無効とすることを特徴とする付記１または２に記載のテレビ電話端末。
【００８４】
（付記４）前記画像変換手段は、前記被制御手段の制御により静止画もしくは動画が撮影された場合に、該静止画もしくは動画をテレビ電話通信用の画像に変換し、
前記通信手段は、前記画像変換手段が変換した画像をテレビ電話通信の画像として対抗装置に所定の時間送信することを特徴とする付記１〜３のいずれか一つに記載のテレビ電話端末。
【００８５】
（付記５）前記被制御手段は、前記被制御認証手段がテレビ電話通信の接続先の対向装置に自装置の遠隔操作を認めた場合に、表示手段にその旨を表示させることを特徴とする付記１〜４のいずれか一つに記載のテレビ電話端末。
【００８６】
（付記６）前記被制御手段は、前記被制御認証手段がテレビ電話通信の接続先の対向装置に自装置の遠隔操作を認めた場合に、自装置の操作手段において所定の操作がなされた場合は、遠隔操作を中断させることを特徴とする付記１〜５のいずれか一つに記載のテレビ電話端末。
【００８７】
（付記７）前記被制御手段は、テレビ電話通信の接続先の対向装置からテレビ電話通信の拡張データに埋め込まれた制御要求を受け付けることを特徴とする付記１〜６のいずれか一つに記載のテレビ電話端末。
【００８８】
（付記８）前記被制御手段は、撮影された静止画もしくは動画をテレビ電話通信の拡張データに埋め込んで対向装置に送信することを特徴とする付記１〜７のいずれか一つに記載のテレビ電話端末。
【００８９】
（付記９）前記被制御手段は、撮影された静止画もしくは動画を電子メールによって対向装置に送信することを特徴とする付記１〜７のいずれか一つに記載のテレビ電話端末。
【００９０】
（付記１０）前記被制御手段は、静止画を撮影する場合に、テレビ電話通信の接続先の対向装置に対して、シャッター音をテレビ電話通信の音声として送信することを特徴とする付記１〜９のいずれか一つに記載のテレビ電話端末。
【００９１】
（付記１１）静止画を撮影することができるカメラを備えたテレビ電話端末をもちいた撮影方法であって、
テレビ電話通信の接続先の対向装置に自装置の遠隔操作を認めるか否かを判断する被制御認証工程と、
前記被制御認証工程が遠隔操作を認めた対向装置から少なくともシャッター制御を含む制御要求を受け付け、該要求に応じた制御を実施する被制御工程と、
前記被制御認証工程がテレビ電話通信の接続先の対向装置に自装置の遠隔操作を認めた場合に、前記カメラによって撮影される静止画をテレビ電話通信用の画像に変換する画像変換工程と、
前記画像変換工程が変換した画像をテレビ電話通信の画像として対抗装置に送信する通信工程と
を含んだことを特徴とする撮影方法。
【００９２】
（付記１２）静止画を撮影することができるカメラを備えたテレビ電話端末を制御する撮影プログラムであって、
テレビ電話通信の接続先の対向装置に自装置の遠隔操作を認めるか否かを判断する被制御認証手順と、
前記被制御認証手順が遠隔操作を認めた対向装置から少なくともシャッター制御を含む制御要求を受け付け、該要求に応じた制御を実施する被制御手順と、
前記被制御認証手順がテレビ電話通信の接続先の対向装置に自装置の遠隔操作を認めた場合に、前記カメラによって撮影される静止画をテレビ電話通信用の画像に変換する画像変換手順と、
前記画像変換手順が変換した画像をテレビ電話通信の画像として対抗装置に送信する通信手順と
をコンピュータに実行させることを特徴とする撮影プログラム。
【産業上の利用可能性】
【００９３】
以上のように、本発明に係るテレビ電話端末、撮影方法および撮影プログラムは、遠隔操作による静止画および動画の撮影に有用であり、特に、遠隔操作している操作者が実際の画像を確認しながら撮影をおこなうことが必要な場合に適している。
【図面の簡単な説明】
【００９４】
【図１】本実施例に係る撮影方式を説明するためのサンプル図である。
【図２】テレビ電話端末１０００の構成を示す機能ブロック図である。
【図３】テレビ電話端末２０００の構成を示す機能ブロック図である。
【図４】図３に示した操作部の一例を示すサンプル図である。
【図５】操作部のボタンに割り当てられた制御内容の一例を示すサンプル図である。
【図６】本実施例に係る撮影方式における情報の流れを説明するための説明図である。
【図７】図２に示したテレビ電話端末１０００の処理手順を示すフローチャートである。
【符号の説明】
【００９５】
１０００  テレビ電話端末
１１００  通信部
１２００  カメラ
１３００  表示部
１４００  操作部
１５００  マイク
１６００  スピーカ
１７００  制御部
１７１０  カメラ制御部
１７２０  被制御認証部
１７３０  被制御部
１７４０  画像変換部
１７５０  通信制御部
１７５１  音声送受信部
１７５２  動画送受信部
１７５３  拡張データ送受信部
１７５４  メール送受信部
１８００  記憶部
１８１０  認証情報記憶部
１８２０  設定情報記憶部
１８３０  電話帳情報記憶部
１８４０  静止画記憶部
１８５０  動画記憶部
２０００  テレビ電話端末
２１００  通信部
２２００  カメラ
２３００  表示部
２４００  操作部
２５００  マイク
２６００  スピーカ
２７００  制御部
２７１０  カメラ制御部
２７２０  遠隔制御部
２７３０  通信制御部
２７３１  音声送受信部
２７３２  動画送受信部
２７３３  拡張データ送受信部
２７３４  メール送受信部
２８００  記憶部
２８１０  設定情報記憶部
２８２０  電話帳情報記憶部
２８３０  静止画記憶部
２８４０  動画記憶部
【図１】
2006352661.tif 000003
【図２】
2006352661.tif 000004
【図３】
2006352661.tif 000005
【図４】
2006352661.tif 000006
【図５】
2006352661.tif 000007
【図６】
2006352661.tif 000008
【図７】
2006352661.tif 000009